(57)【要約】第２コンピュータシステム（１０，２０，４０）で実行するための命令を第１コンピュータシステム（５０−９０）から発行する命令システムが開示される。当該命令システムは、前記第１及び第２コンピュータシステムで確定することの可能な前記第２コンピュータシステムにおける効果を有する第１形式の命令と、その効果が前記第１コンピュータシステムで確定することのできない第２形式の命令とを有する。前記第２形式の命令の各々が、前記第１コンピュータシステムにおける各命令の効果を確定するためのユーザを支援する記述子を包含する。
2004537775.tif 000002
【特許請求の範囲】
【請求項１】
第２コンピュータシステムで実行するための命令を第１コンピュータシステムから発行する命令システムであって、当該命令システムは、前記第１及び第２コンピュータシステムで確定することの可能な前記第２コンピュータシステムにおける効果を有する第１形式の命令と、その効果が前記第１コンピュータシステムで確定することのできない第２形式の命令とを有し、前記第２形式の命令の各々が、前記第１コンピュータシステムにおける各命令の効果を確定するためのユーザを支援する記述子を包含することを特徴とする命令システム。
【請求項２】
更に、前記第１コンピュータによりアクセス可能なサービス記述ファイルより成り、前記サービス記述ファイルが前記第２形式の命令を格納することを特徴とする請求項１記載の命令システム。
【請求項３】
前記サービス記述ファイルが、前記第２コンピュータシステムによりアクセス可能な第１形式の命令を格納することを特徴とする請求項２記載の命令システム。
【請求項４】
前記第１コンピュータシステムが、前記第１及び／又は第２形式の命令に依存した表示用のユーザインターフェースを生成するように形成され、前記第２形式の命令が、各自の記述子及び入力フィールドとしてユーザインターフェースに表示されることを特徴とする請求項１、２又は３の何れか１項に記載の命令システム。
【請求項５】
前記第１コンピュータシステムが、実行のため第２コンピュータシステムへの送信用の通信内容を作成し、該作成は、第１形式の命令に及びユーザインターフェースへの入力に依存し、前記第２形式の命令に対応する入力フィールドへの入力が、変更されずに前記通信内容に挿入されることを特徴とする請求項４記載の命令システム。
【請求項６】
前記第２形式の命令が、命令を第２形式のものであると見分けるための識別子及び記述子より成ることを特徴とする請求項１乃至５の何れか１項に記載の命令システム。
【請求項７】
前記第２形式の命令が、更に、複数のサブフィールドより成ることを特徴とする請求項６記載の命令システム。
【請求項８】
前記サブフィールドが、命令の言語、及び命令に許容される問い合わせに関する取り決めより成る群から選択されることを特徴とする請求項７記載の命令システム。
【請求項９】
前記第２コンピュータシステムが、情報に関するデータベースを利用し、命令の実行は情報に関するデータベースにて問い合わせを行うことを含み、問い合わせの結果が第１装置に通信されることを特徴とする請求項１乃至７の何れか１項に記載の命令システム。
【請求項１０】
前記第２コンピュータシステムが、インターネット上のワールドワイドウェブサイトのホストを務めるワールドワイドウェブサーバより成り、前記第１コンピュータシステムが、命令を発行するワールドワイドウェブサイトと通信を行うよう形成されることを特徴とする請求項９項に記載の命令システム。
【請求項１１】
前記第１コンピュータシステムが、移動電話機、パーソナルディジタル支援装置、パーソナルコンピュータ、ディジタルビデオレコーダ、インテリジェント家電機器又はディジタルテレビジョンシステム用デコーダより成る群から選択されるものから構成されることを特徴とする請求項１乃至１０の何れか１項に記載の命令システム。
【請求項１２】
コンピュータシステムがそれらの意味又は効果に関する知識を何ら有しないところの命令を含む通信内容を作成するよう形成されるコンピュータシステムであって、当該コンピュータシステムが、確定可能な効果を有する第１形式の命令と、確定することのできない効果を有する第２形式の命令とを受け入れるように形成され、前記第２形式の命令の各々が、各命令の効果を確定するためにユーザを支援する記述子を含み、当該コンピュータシステムが、入力フィールドに関連する第２形式の命令各々の記述子を表示し、入力フィールドへの入力を受け入れるように形成され、通信内容は、入力フィールドへの入力、及び第１形式の命令に依存して生成されたデータを包含することを特徴とするコンピュータシステム。
【請求項１３】
あるコンピュータシステムにて別のコンピュータシステムに発行するための通信内容を生成する方法であって：
コンピュータシステムにおける命令セットにアクセスするステップであって、前記命令セットが、前記コンピュータシステムにより確定可能な効果を有する第１形式の命令と、前記コンピュータシステムにより確定することのできない効果を有する第２形式の命令とを有し、前記第２形式の命令各々が、各命令の効果を確定するためにユーザを支援する記述子を含むところのステップ；
第２形式の命令に関する記述子及び各記述子に関する入力フィールドを含むユーザインターフェースを作成するステップ；
前記入力フィールドに対する入力を受け入れるステップ；及び
第１形式の命令に依存して、受け入れた入力から通信内容を作成するステップ；
より成ることを特徴とする方法。
【請求項１４】
コンピュータで実行される場合に、請求項１３記載の全ステップを実行させるプログラムコードより成ることを特徴とするコンピュータプログラム。
【請求項１５】
コンピュータ読取可能な媒体に格納される請求項１４記載のコンピュータプログラム。
【発明の詳細な説明】
【技術分野】
【０００１】
本発明は、拡張された命令を、それらの意味若しくはセマンティクス（ｓｅｍａｎｔｉｃ）又は影響若しくは効果（ｅｆｆｅｃｔ）に関する知識なしに、コンピュータシステムが利用することを可能にする拡張可能な命令システムに関連する。
【背景技術】
【０００２】
コンピュータシステム間の通信は、通常は、命令の形式におけるものである。あるコンピュータが別のコンピュータと通信を行うには、第１コンピュータシステムが、第２コンピュータシステムの命令群（命令セット）及びその意味（セマンティクス）を理解し、第２命令システムが処理し得る命令を明確化し得るようにする必要がある。これを達成するため、共有されるプログラミング言語及び標準化された通信プロトコルが開発され、命令群の間の共通リンクを設定している。
【０００３】
近年益々注目されながら利用されているある形式の命令群は、メタデータ（ｍｅｔａｄａｔａ）と呼ばれる。データに関するデータであるメタデータは、通常的には、ユーザ、コンピュータシステム又は付随するデータ項目の属性を記述する一連のフィールド名及び関連する値である。典型的には、拡張可能マークアップ言語（ＸＭＬ：Ｅｘｔｅｎｓｉｂｌｅ  Ｍａｒｋｕｐ  Ｌａｎｇｕａｇｅ）のようなマークアップ言語が使用される。不都合なことに、構造に関して及びメタデータの表現に関して何らかの仮定（ａｓｓｕｍｐｔｉｏｎ）を行うことは困難である。それはＸＭＬでマーク付けされたフィールド名及び値のみから成り得るが、その同一のメタデータが完全に相違して表現され得る及び完全に相違してしばしば表現される。従って、装置は、特定のメタデータを利用することの可能な必要な意味と共に事前にプログラムされる必要がある。
【０００４】
総ての規格と同様に、メタデータに関する規格が作成されているが、多くの団体が、彼ら自身の形式の規格を開発し、又は同じ問題を解決するための様々な競合する規格さえ作成されている。例えば、メタデータは、ユーザに提供するマルチメディア内容又はコンテンツを説明するために益々使用されつつある。ディジタルテレビジョン放送と供に、セットトップボックスは、著者、タイトル（表題）、ジャンル、持続時間（放送時間）その他のテレビジョン放送の属性を記述するフィールドを包含するメタデータファイルを受信する。そのようなデータは、その後に、その放送における他の情報に関する番組ガイドを作成するために使用される。
【発明の開示】
【発明が解決しようとする課題】
【０００５】
メタデータを利用することは有益であり効果もあるが、同一形式の内容について同一の情報を搬送するために異なるメタデータフィールドを規定する２つの興行会社のような競合する規格、及び新たなフィールドを理解しないシステムが単にそれらを無視することを想定する新たな機能をサポートするために、団体が、一致するメタデータ規格にフィールドを付加するようないわゆる「両立する（ｃｏｍｐａｔｉｂｌｅ）」規格が併存することは、問題を引き起こす。
【０００６】
特に、装置が命令又はフィールドを解釈及び処理し得るようにプログラムされているならば、コンピュータシステムは、メタデータ内の命令によって指示される必要な動作のみを行い、又はメタデータフィールドに対応する情報をユーザに提供することが可能である。そのプログラミングが理解しないフィールドを含むメタデータが装置によって受信される場合に、その装置はそれらのフィールドを利用することはできない。最も良好な場合には、メタデータはＸＭＬにおけるものであり、装置は文法的適性さを保証するＸＭＬによって少なくとも安定的である。最悪の場合には、装置がメタデータファイルを処理しようとした際に失敗し又は不具合を起こす。
【０００７】
例えば、コンピュータシステムは、フィルムのデータベースに関連するフィールド「主要な俳優（ｌｅａｄ  ａｃｔｏｒ）」を理解するようにプログラムされる。しかしながら、そのデータベースがフィールド「スター（Ｓｔａｒ）」を含んでいたならば、コンピュータシステムは、これらのフィールドが実際には同一であることが分からないであろう。更に、「スター」に関する所与の値に関し、コンピュータシステムは、それで何をすべきかも分からないであろう。
【０００８】
このような状況は、新たなサービスが利用可能になるにつれて、及び付加的なデータ又はサービスに対する機能強化が行われるにつれて悪化する。そのような場合には、新たな命令が可能になり、新たなメタデータがそのようなサービスによって生成され得る。しかしながら、受信する装置は、新たな命令及びメタデータフィールドに気付かず、従ってそのフィールドを解釈すること又は新たな形式の命令を利用することができない。
【課題を解決するための手段】
【０００９】
本発明の第１態様によれば、第２コンピュータシステムで実行するための命令を第１コンピュータシステムから発行する命令システムが提供され、当該命令システムは、前記第１及び第２コンピュータシステムで確定することの可能な前記第２コンピュータシステムにおける効果を有する第１形式（ｆｉｒｓｔ  ｔｙｐｅ）の命令と、その効果が前記第１コンピュータシステムで確定することのできない第２形式（ｓｅｃｏｎｄ  ｔｙｐｅ）の命令とを有し、前記第２形式の命令の各々が、前記第１コンピュータシステムにおける各命令の効果を確定するためのユーザを支援する記述子を包含する。
【００１０】
本発明が提供することを意図する機構によって、一致する（矛盾しない）規格は拡張され、その拡張子（ｅｘｔｅｎｓｉｏｎ）、それらの影響又はそれらの意味に関する特殊な知識を有する装置なしに、その拡張子が装置にて使用され得る。捕捉又は生成するための何らかの特化した性質（ａｂｉｌｉｔｙ）を有する情報に関連するもののように、第三者が、拡張として彼ら自身のメタデータフィールドの規定を許容することで、ローカル装置に提供されるサービスは、装置子の更新を必要とせずに、機能強化され得る。
【００１１】
本発明では、２つの形式のメタデータフィールドが、命令群を形成するために使用される。第１形式は、総ての装置がその意味をサポート及び理解しなければならないところの固定されたメタデータフィールドである。これらは典型的には装置のプログラミングに組み込まれる。メタデータフィールドの第２形式は、装置のプログラミングを更新することがしばしば困難である又は不可能である場合に、命令群の実行後に付加され得る付加的なフィールドである。そのような余分な（ｅｘｔｒａ）フィールドは、データが命令群によって与えられることを可能にし、又は命令群内の命令によって命令され得るサービス機能が、必要なユーザ装置における対応する更新なしに拡張されることを可能にする。特に、余分なメタデータフィールドは、フィールドに関するユーザに与えられる情報を包含する。典型的には、余分なメタデータは、付加的な機能を判別するために装置がアクセスし得るサービス記述ファイル内に列挙される。
【００１２】
前記第１コンピュータシステムが、前記第１及び／又は第２形式の命令に依存した表示用のユーザインターフェースを生成するように形成され、前記第２形式の命令が、各自の記述子及び入力フィールドとしてユーザインターフェースに表示され得る。
【００１３】
前記第１コンピュータシステムは、実行のため第２コンピュータシステムへの送信を行うための通信内容を作成し、該作成は、第１形式の命令に及びユーザインターフェースの入力に依存し、前記第２形式の命令に対応する入力フィールドへの入力が、変更されずに前記通信内容に挿入される。
【００１４】
前記第２形式の命令は、命令を第２形式のものであると見分ける識別子及び記述子から構成され得る。
【００１５】
前記第２形式の命令は、更に、複数のサブフィールドから構成され得る。これらは、命令の記述をそこに与えるところの言語、及び第１形式の命令で使用する問い合せに関する取り決め（ｄｅｆｉｎｉｓｉｏｎ）する。前記第２コンピュータシステムは、情報に関するデータベースを利用し、命令の実行は情報に関するデータベースにて問い合わせを行うことを含み、問い合わせの結果が第１装置に通信される。
【００１６】
前記第２コンピュータシステムは、インターネット上のワールドワイドウェブサイトのホストを務めるワールドワイドウェブサーバより成り、前記第１コンピュータシステムが、命令を発行するワールドワイドウェブサイトと通信を行うよう形成される。
【００１７】
前記第１コンピュータシステムは、移動電話機、パーソナルディジタル支援装置、パーソナルコンピュータ、ディジタルビデオレコーダ、インテリジェント家電機器又はディジタルテレビジョンシステム用デコーダより成る群から選択され得る。
【００１８】
本発明の他の態様によれば、コンピュータシステムがそれらの意味又は効果に関する知識を何ら有しないところの命令を含む通信内容を作成するよう形成されるコンピュータシステムが提供され、当該コンピュータシステムは、確定可能な効果を有する第１形式の命令と、確定することのできない効果を有する第２形式の命令とを受け入れるように形成され、前記第２形式の命令の各々が、各命令の効果を確定するためにユーザを支援する記述子を含み、当該コンピュータシステムが、入力フィールドに関連する第２形式の命令各々の記述子を表示し、入力フィールドへの入力を受け入れるように形成され、通信内容は、入力フィールドへの入力、及び第１形式の命令に依存して生成されたデータを包含する。
【００１９】
本発明の他の態様によれば、コンピュータシステムにて別のコンピュータシステムに発行するための通信内容を生成する方法が提供され、当該方法は：
コンピュータシステムにおける命令セットにアクセスするステップであって、前記命令セットが、前記コンピュータシステムにより確定可能な効果を有する第１形式の命令と、前記コンピュータシステムにより確定することのできない効果を有する第２形式の命令とを有し、前記第２形式の命令各々が、各命令の効果を確定するためにユーザを支援する記述子を含むところのステップ；
第２形式の命令に関する記述子及び各記述子に関する入力フィールドを含むユーザインターフェースを作成するステップ；
前記入力フィールドに対する入力を受け入れるステップ；及び
第１形式の命令に依存して、受け入れた入力から通信内容を作成するステップ；
より成ることを特徴とする方法である。
【００２０】
以下、添付図面を参照しながら、単なる例として、本願実施例が詳細に説明される。
【発明を実施するための最良の形態】
【００２１】
図１は、本発明を使用するのに適切なコンピュータシステムの概略図である。
【００２２】
コンピュータサーバ１０は、インターネット３０におけるワールドワイドウェブサイト２０のホストを務める。ワールドワイドウェブサイト２０は、遠隔したユーザ端末によりインターネット３０を介してワールドワイドウェブサイト２０を利用しながら探索され得る情報のデータベース４０へのアクセスを与える。遠隔した又はリモートユーザ端末は、テレビジョンセット６０に接続されたセットトップボックス５０、ＰＣ７０、移動電話機８０、パーソナルデータ支援機９０その他のコンピュータ装置であり得る。
【００２３】
ユーザ端末は、メモリに標準的な命令群を有する。標準的な命令群内の命令は、第１形式のものであり、そのユーザ端末に既知の意味（セマンティクス）を有する。また、ユーザ端末は、メモリ内にメタデータファイル形式でウェブサイト２０に関連するサービス記述ファイルの複製を含む、又は適切なサービス記述ファイルを取得することが可能である。データベース４０にアクセスし、それに問い合わせを行うために、ユーザ端末は、サービス記述ファイルの複製及び標準的な命令群にアクセスし、ユーザが問い合せ又は要求を入力することを可能にする表示用のユーザインターフェースを生成する。
【００２４】
ユーザ端末上のユーザインターフェースを通じてユーザによって問い合せ又は要求が入力されると、そのユーザ端末によって、ウェブサイト２０に提出するのに適切に構成又はフォーマットされ、その後にインターネット３０を通じてウェブサイト２０に送信される。
【００２５】
受信すると、サーバ１０はその問い合わせを利用してデータベース４０を探索し、結果をメタデータファイルの形式でインターネット３０を通じてユーザ端末に返送する。例えば、その結果は、要求が適切に行われたことの単なる指標であり得るし、又はその問い合わせに合致するデータベースからの情報でもあり得る。
【００２６】
具体例としては、リモートユーザ端末は、いわゆるインテリジェント冷却装置（ｉｎｔｅｌｌｉｇｅｎｔ  ｆｒｉｄｇｅ）（図示せず）その他の家庭用機器とすることが可能であり、その場合にデータベース４０は、調理法（レシピ）、食料品に関する情報を含み、又は冷却装置がそこから食料を注文し得る業者又はベンダ（ｖｅｎｄｏｒ）に関連付けられ得る。
【００２７】
このようなクライアント−サーバ形態は当該技術分野で一般的であることが理解されるであろう。しかしながら、データベース４０が、質問されることの可能な新たなフィールド形式における拡張子を包含するために更新される場合に、又は新たな要求がサーバ１０により許容される場合に、従来では、ユーザ端末はその変更を考慮に入れるために更新されることが必要である。ユーザ端末に対する更新が要求される理由は、その変化に適合するユーザインターフェースを生成し得るようにするためである。更に、ユーザ端末は、ユーザがそれらを利用して問い合せ又は要求を提出した場合に、新たなフィールド又は新たな要求で何をすべきかを知る必要がある。
【００２８】
図２は、本発明の一態様による命令セットの拡張子を示す例示的なサービス記述メタデータファイルを示す。関連するウェブサイト２０は、映画又はフィルムのデータベース４０が、ユーザ端末によって探索され得るようにする。サービス記述ファイルのメタデータ１００に隣接して示される行番号（ラインナンバー）２００は、単なる説明のためのものであり、通常はメタデータファイルに包含されない。
【００２９】
本発明では、既存のサービス記述ファイルに対する拡張子は、余分なフィールドの形式にある。拡張子は、（図２の例ではタグ＜エクストラフィールド＞（＜ＥｘｔｒａＦｉｅｌｄ＞）を利用することで）余分なフィールドとしてファイル内で明確に見分けられ、及び記述子フィールドを含む。余分なフィールドの例は、図２のライン１１，１２，１４に見受けられる。
【００３０】
残余のフィールドでは、ライン５乃至８で提供されるサービスを、及びライン９でユーザが問い合わせを提出すべき宛先が記述される。
【００３１】
図３は、本発明の他の態様による命令セットの拡張子を示すメタデータファイル例である。余分なフィールドに加えて、サービス記述ファイルが、ユーザ端末の受け入れ可能な（ａｃｃｅｐｔａｂｌｅ）標準命令セットからの第１形式の命令を指定することができる。それらは、タグ＜固定フィールド＞（＜Ｆｉｘｅｄｆｉｅｌｄ＞）と共に行１１乃至１３等に列挙されている。このように、サービス又はデータベースは、標準命令セットからのフィールド総てをサポートする必要はなく、受け入れ可能なものを要求する（ｄｉｃｔａｔｅ）ことができる。フィールドが期限切れになる又はもはや適用できなくなった場合に、標準命令セットは更新されることを必要とせずに、サービス記述ファイルは受け入れ可能なそれらのフィールドを見分けることができる。第１形式の命令に関する意味は装置に知られており、サービス記述ファイルはそれらが使用され得るか否かを単に示すように機能する。
【００３２】
ファイルにアクセスする場合には、ユーザ端末はその余分なフィールド及び標準命令セットを使用し、図４に示されるようなユーザインターフェースを生成する。サービスの説明は、インターフェース３００にてユーザに表示され、余分なフィールド各々についての入力フィールド３２０，３３０，３４０，３５０は、余分なフィールド各々に関連する記述フィールドを利用しながら作成され、その入力フィールドを記述する記述子（ｄｅｓｃｒｉｐｔｏｒ）３２５，３３５，３４５，３５５が示される。
【００３３】
ユーザがユーザインターフェース３００により問い合わせを送出する場合には、ユーザ端末は、サービス記述ファイルに指定される宛先に送付するために、その問い合わせの体裁又はフォーマットを整える。例えば、スター（Ｓｔａｒ）フィールド３２０に関する入力が“トムクルーズ（Ｔｏｍ  Ｃｒｕｉｓｅ）”であり、（５段階の）等級フィールド３３０が“５”であり、ジャンルフィールド３５０が“ドラマ”であったならば、フォーマット済みの問い合せは、
ｈｔｔｐ：／／ｗｗｗ．ｂａｒｒｙ−ｎｏｒｍａｎ．ｃｏｍ／ｃｇｉ−ｂｉｎ／ｍｙＴＶｓｅｒｖｉｃｅ．ｃｇｉ？ａｃｔｏｒｓ＝Ｔｏｍ＋Ｃｒｕｉｓｅ＆ｒａｔｉｎｇ＝５＆Ｇｅｎｒｅ＝ｄｒａｍａ
となるであろう。
【００３４】
図５は、図２の命令セットを利用して作成された問い合せに応答して受信されたメタデータファイル例である。この例では、問い合わせに応じて余分なフィールドに関連するデータが、サービス記述ファイルによるものと同一フォーマットのメタデータファイルで戻される。この応答は、ユーザに表示するスクリーンを生成するために使用される。余分なフィールドは、図４のユーザインターフェースと同じ手法で関連する記述フィールドと並んでユーザに表示される。
【００３５】
ユーザに表示されるデータの一場面が図６に示されている。
【００３６】
ユーザ端末が既存の知識及び拡張子に関するプログラミングを備えることなしに、命令セットを利用可能にする拡張を行うために、ユーザ端末は、命令セットの拡張子を見分けることが可能であって、その拡張の効果をユーザに説明するために特別に書き込まれた拡張子に関する記述子と共に汎用ユーザインターフェースを作成する必要がある。ユーザ端末はその拡張子の効果又は関連性（ｒｅｌｅｖａｎｃｅ）を理解する必要はなく、与えられた記述子を単にユーザに取り次ぐ（ｒｅｌａｙ）ことができればよい。記述子は、その拡張子が何であるか及びそれが何のためであるかについてユーザが理解するのに充分な情報を与えるべきである。このように、ユーザは、要求又は問い合わせにおける拡張子を組み込む又は使用するようにユーザ端末に命令することが可能であり、ユーザ端末は、更なるやりとりをせずに、その拡張子を理解するシステムに対してその拡張子を取り次ぐ。
【００３７】
命令セットを実行する時点では考察されないコンテンツ及び動作に関するメタデータは、それらの効果又は意味を理解することなしに、ユーザ端末によって付加及び使用されることが可能である。
【００３８】
図２の例では、言語及び問い合せ形式サブフィールドが、複数の拡張子と供に包含される。ユーザ端末は、使用される拡張子を選択するためにその言語サブフィールドを利用する。本実施例では、言語コードはＩＳＯ６３９に準拠し、ユーザ端末又は装置によって曖昧さなしに解釈され得るようにする。端末又は装置がある言語設定を有する場合に、その設定による言語で余分なフィールドのみを表示するようにプログラムすることが可能である。あるサイトは１以上の言語でメタデータを提供するように選択し、そのサブフィールドは、ユーザ端末又は装置が最も適切な言語を選択することを可能にする。問い合せ形式サブフィールドは、拡張フィールドがどのようにして問い合わせられることが可能であるかを示す。他の形式のサブフィールドは、日付、整数、４文字の文字列等のような期待される変数形式を明示的に述べることが可能である。これは、問い合わせを発する前にユーザが入力したデータを、余分なフィールドの意味（セマンティクス）の理解を必要とせずに、ユーザ端末又は装置が確認することを可能にする。
【００３９】
以上本発明はインターネット上のウェブ形式のデータベースにアクセスする遠隔装置を参照しながら説明されてきたが、ブロードバンド、ディジタルテレビジョンネットワークその他の任意の通信ネットワークに等しく適用され得る。
【００４０】
本発明は、ユーザ特徴又はプロファイリング（ｐｒｏｆｉｌｉｎｇ）に利用され得る。例えば、ユーザ装置は、同一値を有する拡張フィールドが反復的に使用されることを推察することが可能である。そのような拡張フィールド及び値は、ユーザ端末がメタデータの意味を何ら理解しないにもかかわらず、自動的な推奨又はユーザ特徴のレコーダル（ｒｅｃｏｒｄａｌ）を得るために使用され得る。余分なフィールの表示及びプロファイリングにおけるその利用が可能である。しかしながら、ＩＰ問い合わせに関する用途は、いくつかの他のネットワーク形式には適切でない。
【図面の簡単な説明】
【００４１】
【図１】本発明を使用するのに適切なコンピュータシステムの概略図である。
【図２】本発明の一態様による拡張した命令群を図示するメタデータファイルを例示する図である。
【図３】本発明の他の態様による拡張した命令群を図示するメタデータファイルを例示する図である。
【図４】図２の命令群を利用するメタデータファイルに依存して生成されるユーザインターフェースを例示する図である。
【図５】本発明の他の態様による拡張した命令群を図示する他のメタデータファイルを例示する図である。
【図６】図２の命令群を利用してなされる問い合せに応答して受信されたメタデータファイルを例示する図である。
【図２】
2004537775.tif 000003
【図３】
2004537775.tif 000004
【図４】
2004537775.tif 000005
【図５】
2004537775.tif 000006
【図６】
2004537775.tif 000007
【国際公開パンフレット】
2004537775.tif 000008
2004537775.tif 000009
2004537775.tif 000010
2004537775.tif 000011
2004537775.tif 000012
2004537775.tif 000013
2004537775.tif 000014
2004537775.tif 000015
2004537775.tif 000016
2004537775.tif 000017
2004537775.tif 000018
2004537775.tif 000019
2004537775.tif 000020
2004537775.tif 000021
2004537775.tif 000022
2004537775.tif 000023
2004537775.tif 000024
2004537775.tif 000025
2004537775.tif 000026
【国際公開パンフレット（コレクトバージョン）】
2004537775.tif 000027
【国際調査報告】
2004537775.tif 000028
2004537775.tif 000029
2004537775.tif 000030